(57)【要約】【課題】            ブラケットを介して歯牙に負荷する力を容易に調整することができ、耐食性に優れコンパクトで磁石の引っ張り及び反発力のいずれをも利用することができ、患者の状態に合わせた計画的な歯列矯正を行いやすい歯列矯正力付与部材及びそれを利用した歯列矯正機構を提案する。【解決手段】        歯列矯正力付与部材は、耐食性ケースと、該耐食性ケース内に密封収容された棒磁石からなり、前記耐食性ケースには前記棒磁石と平行に歯列矯正用主線挿通部が設けてなる。歯列矯正機構は、ブラットを介して歯に矯正力を付与するように上記歯列矯正力付与部材を同極又は異極が対向するように歯列矯正用主線に挿通配置してなる。【選択図】          図１
2005237658.tif 000002
【特許請求の範囲】
【請求項１】
耐食性ケースと、該耐食性ケース内に密封収容された棒磁石からなり、前記耐食性ケースには前記棒磁石と平行に歯列矯正用主線挿通部が設けられていることを特徴とする歯列矯正力付与部材。
【請求項２】
耐食性ケースは、耐食性ケースを貫通する中心孔からなる歯列矯正用主線挿通部を有することを特徴とする請求項１に記載の歯列矯正力付与部材。
【請求項３】
耐食性ケースは、耐食性ケースの側部に延在する凹溝からなる歯列矯正用主線挿通部を有することを特徴とする請求項１に記載の歯列矯正力付与部材。
【請求項４】
耐食性ケースは、歯列矯正用主線挿通部の周囲に複数の棒磁石が配設される収容部を有することを特徴とする請求項１〜３のいずれかに記載の歯列矯正力付与部材。
【請求項５】
耐食性ケースには残留磁気の表示が設けられていることを特徴とする請求項１〜４のいずれかに記載の歯列矯正力付与部材。
【請求項６】
耐食性ケースには結紮部が設けられていることを特徴とする請求項１〜５のいずれかに記載の歯列矯正力付与部材。
【請求項７】
棒磁石はネオジム磁石であることを特徴とする請求項１〜６のいずれかに記載の歯列矯正力付与部材。
【請求項８】
請求項１〜７のいずれかに記載の歯列矯正力付与部材を同極又は異極が対向するように歯列矯正用主線に挿通配置してなり、ブラットを介して歯に矯正力を付与する歯列矯正機構。
【発明の詳細な説明】
【技術分野】
【０００１】
本発明は、いわゆるブラケットタイプの歯列矯正装置に用いられる永久磁石（以下磁石という）を利用した歯列矯正力付与部材及びそれを利用した歯列矯正機構に関する。
【背景技術】
【０００２】
歯列矯正に弾性体のバネ力を利用した歯列矯正装置が広く利用されている。この装置はバネ力により歯牙を移動させるため、歯列矯正初期に最も大きな力が歯牙にかかり患者に不快感を与えるという問題がある。また、バネ力の調整が難しく歯牙に所要の矯正力を与えるのが難しいという問題もある。これらの問題に対し磁石を利用したものが検討されている。例えば特許文献１又は特許文献２に磁石を利用した歯列矯正装置が提案されている。
【０００３】
特許文献１では対称中心を通って軸方向に伸びる孔を有し、かつ、磁石と孔を囲む保護コーティングを有する磁石であってワイヤに滑動自在に配設された磁石を利用する歯列矯正装置が提案されている。特許文献２では、磁石をブラケットに固定するための突起部及びワイヤと滑合可能にする滑合部を有し、かつ、Ｎｉメッキ等の防錆処理層を有する磁石を利用した歯列矯正装置が提案されている。
【０００４】
【特許文献１】特開平05-338872号公報
【特許文献２】特開2001-104342号公報
【発明の開示】
【発明が解決しようとする課題】
【０００５】
しかし、特許文献１及び２の提案に係る歯列矯正装置においては、ブラケットを介して歯牙に負荷する力を調整するのが容易でなく、メッキ等の防錆処理層を有するのみであるから磁石の耐食性が不十分であるという問題がある。また、特許文献１の提案に係る歯列矯正機構では、磁石の反発力を利用する場合にしか使用できないという問題があり、特許文献２に提案された歯列矯正装置に利用される磁石は高度の加工を要するためコスト上不利であるという問題がある。
【０００６】
本発明は、かかる従来の問題点に鑑み、ブラケットを介して歯牙に負荷する力を容易に調整することができ、耐食性に優れコンパクトで磁石の引っ張り及び反発力のいずれをも利用することができ、患者の状態に合わせた計画的な歯列矯正を行いやすい歯列矯正力付与部材及びそれを利用した歯列矯正機構を提案することを目的とする。
【課題を解決するための手段】
【０００７】
本発明に係る歯列矯正力付与部材の歯列矯正用主線挿通部は、耐食性ケースと、該耐食性ケース内に密封収容された棒磁石からなり、前記耐食性ケースには前記棒磁石と平行に歯列矯正用主線挿通部が設けられている。歯列矯正用主線挿通部の周囲に複数の棒磁石が配設される収容部を有するのが好ましい。
【０００８】
上記歯列矯正力付与部材の耐食性ケースの歯列矯正用主線挿通部は、耐食性ケースを貫通する中心孔か、耐食性ケースの側部に延在する凹溝からなるものであるのが好ましい。
【０００９】
また、耐食性ケースは、歯列矯正用主線挿通部の周囲に複数の棒磁石が配設される収容部を有するものであるのが好ましく、耐食性ケースには残留磁気の表示が設けられているのが好ましい。さらに、耐食性ケースには結紮部が設けられているのが好ましく、耐食性ケースに密封収容される棒磁石は、ネオジム磁石からなるものであるのが好ましい。
【００１０】
歯列矯正力付与部材を利用した歯列矯正機構は、上記いずれかの歯列矯正力付与部材を同極又は異極が対向するように歯列矯正用主線に挿通配置してなり、ブラケットを介して歯に矯正力を付与するものである。
【発明の効果】
【００１１】
本発明に係る歯列矯正力付与部材は、ブラケットを介して歯牙に負荷する力を容易に調整することができ、耐食性に優れコンパクトで製造し易く磁石の引っ張り及び反発力のいずれをも利用することができる。また、この歯列矯正力付与部材を利用した歯列矯正機構により効率的、計画的に歯列矯正を行うことができる。
【発明を実施するための最良の形態】
【００１２】
本発明の一実施例による歯列矯正力付与部材を図１に示す。図１に示すように、歯列矯正力付与部材10は、耐食性ケース11と、耐食性ケース11内に密封収容された棒磁石30からなる。
【００１３】
耐食性ケース11はケース本体12と密閉蓋20から構成され、耐食性ケース11には棒磁石30の収容部15及びそれと平行に歯列矯正用主線挿通部13が設けられている。歯列矯正力付与部材10は、この歯列矯正用主線挿通部13を通して歯列矯正用主線50に沿ってスライド自在にブラケット40間に配設される。これにより、一対の歯列矯正力付与部材10を正対させることができ、被矯正歯に効果的に矯正力を付与することができる。
【００１４】
歯列矯正用主線挿通部13は、円筒状の耐食性ケース11の軸方向に貫通する中心孔131が相当する。また、図２に示すように、耐食性ケース11の側部に延在する凹溝132を歯列矯正用主線挿通部13に当ててもよい。この場合は、以下に説明するように歯列矯正力付与部材10の脱着が容易になり、計画的な歯列矯正が行いやすくなる。
【００１５】
また、図１及び２に示すように、収容部15が歯列矯正用主線挿通部13の周囲に設けられている。この収容部15は穿孔された複数の穴151からなり、その穴151に円柱状の棒磁石30が配設されている。この穴151の内径、深さ及び数を調整することによって、収容される棒磁石30の外径、長さ及び本数を調整することが容易にでき、歯列矯正力付与部材10の残留磁気を所望の大きさに調整することができる。
【００１６】
また、図３に示すように、外筒121の中に内筒122を配し、これらの端部に密閉蓋20を設けて耐食性ケース11を構成することができ、外筒121と内筒122間に形成された空間部を収容部15とすることもできる。この収容部15に円柱状の棒磁石30を配設することによって、収容可能な棒磁石の断面積を一層大きくすることができる。
【００１７】
上記各例では、耐食性ケース11内に複数の円柱状の棒磁石30が配設される構造となっているが、図４（ａ）及び（ｂ）に示すように、歯列矯正用主線挿通部13の周囲に一体に設けられた収容部15に単一の磁石を収容する構造としてもよい。この場合は、収容可能な棒磁石の断面積をさらに大きくできるから、歯列矯正力付与部材10の残留磁気をより大きくすることができる。
【００１８】
また、耐食性ケース11には図５に示すように、歯列矯正力付与部材10を結紮線55で捲着する結紮部18を設けるのが好ましい。これにより、歯列矯正力付与部材10を歯列矯正用主線50上に配設し、また、ブラケットと一体に結合する作業が容易になる。
【００１９】
なお、耐食性ケース11は、装着される患者の口内で十分な耐食性を有し、磁力線を通すものならばその材質を問わないが、例えばSUS303、SUS316、SUS447J1、AUM20が好ましい。これらは、耐食性が高く機械強度に優れており、機械加工にも適し、人体に悪影響を与えないので好ましい。
【００２０】
上記耐食性ケース11には、歯列矯正力付与部材10の残留磁気の大きさの表示を設けるのが好ましい。さらに、歯列矯正力付与部材10の長さの表示を設けるのが好ましい。これらにより、所要の残留磁気を有する一対の歯列矯正力付与部材10を所定間隔で配列することができやすくなるから、歯牙に適切な力を負荷し、計画的な歯列矯正を行うことが容易になる。
【００２１】
上記耐食性ケース11に収容される棒磁石30は、その種類を問わず使用することができる。例えばネオジム磁石（Fe-BNd系磁石）、サマコバ磁石（Sm-Co系磁石）、フェライト磁石等を使用することができる。ネオジム磁石を使用する場合は、ネオジム磁石が極めて高い残留磁気を有するから、コンパクトで強い矯正力をもった歯列矯正力付与部材10を構成することができる。
【００２２】
本発明においては、棒磁石30が耐食性ケース11に収容された構造としている。このため、棒磁石30に高度な機械加工をすることを要しないから、例えば焼結法で製造され非常に硬く機械加工が困難なネオジム磁石であっても容易に歯列矯正力付与部材10に組み立てることができる。
【００２３】
図６に、上記歯列矯正力付与部材10を用いた歯列矯正機構の一例を示す。犬歯62及び第二小臼歯64の表面にブラケット40A、40Bが接着され、それらのブラケット40A、40Bを連結する歯列矯正用主線50に歯列矯正力付与部材10A、10Bが挿通されブラケット40A、40B間に配設されている。歯列矯正力付与部材10A、10Bは、図２に示す構造を有し、それぞれＮ及びＳ極が対向するように配設されている。歯列矯正力付与部材10A、10Bは、結紮部18に結紮線55を捲着することによって歯列矯正用主線50上に配設されている。歯列矯正用主線50とブラケット40A、40Bとは結紮線55でスライド自在に係合され、歯列矯正力付与部材10A、10Bはそれぞれブラケット40A、40Bに結紮線55により固定されている。
【００２４】
本歯列矯正機構においては、歯列矯正力付与部材10A、10Bは、耐食性ケース11に表示された残留磁気及び長さを参考に所定のものが選ばれる。また、歯列矯正力付与部材10A、10Bは歯牙の移動に合わせて交換される。なお、歯列矯正力付与部材10A、10Bの交換は、歯列矯正力付与部材10A、10B及び歯列矯正用主線50とブラケット40A、40B間の結紮線55を切断すれば容易にできる。
【００２５】
以上の構成により、犬歯62に矢印方向の適切な矯正力を付与することができる。なお、犬歯62を矢印と反対方向に移動させる場合は、歯列矯正力付与部材10A、10Bは同極（例えば、Ｎ及びＮ極）が対向するように配設する。この場合、歯列矯正力付与部材10A、10Bをそれぞれブラケット40A、40Bに結紮することを要しない。
【図面の簡単な説明】
【００２６】
【図１】本発明の一実施例による歯列矯正力付与部材の拡大図である。
【図２】凹溝を有する歯列矯正力付与部材の拡大図である。
【図３】他の実施例による歯列矯正力付与部材の拡大図である。
【図４】棒磁石一体型の歯列矯正力付与部材の拡大図である。
【図５】結紮部を有する歯列矯正力付与部材の拡大図である。
【図６】歯列矯正機構の説明図である。
【符号の説明】
【００２７】
10、10A、10B    歯列矯正力付与部材
11    耐食性ケース
12    ケース本体
13    歯列矯正用主線挿通部
15    収容部
18    結紮部
20    密閉蓋
30    棒磁石
40、40A、40B    ブラケット
50    歯列矯正用主線
55    結紮線
62    犬歯
64    第二小臼歯
121    外筒
122    内筒
131    中心孔
132    凹溝
151    穴
【図１】
2005237658.tif 000003
【図２】
2005237658.tif 000004
【図３】
2005237658.tif 000005
【図４】
2005237658.tif 000006
【図５】
2005237658.tif 000007
【図６】
2005237658.tif 000008